(57)【要約】【課題】当該医療用カートに搭載されている複数の医療用装置に接続される通信ケーブルや電源ケーブルの接続作業を容易にする医療用カートを提供する。【解決手段】複数の医療用装置が搭載される医療用カートに、その医療用装置に接続されているケーブルと当該医療用カートの外部に接続されているケーブルとを接続するための接続コネクター３を有するようにする。【選択図】図１
2006055295.tif 000002
【特許請求の範囲】
【請求項１】
複数の医療用装置が搭載される医療用カートであって、
前記医療用装置に接続されているケーブルと当該医療用カートの外部に接続されているケーブルとを接続するための接続コネクターを有する、
ことを特徴とする医療用カート。
【請求項２】
複数の医療用装置が搭載される医療用カートであって、
前記医療用装置に接続されているケーブルと当該医療用カートの外部に接続されているケーブルとを接続するための分離型接続コネクターを有し、
前記分離型接続コネクターは、前記医療用装置に接続されているケーブルが接続される第１の接続コネクターと、前記第１の接続コネクターに着脱可能に構成され当該医療用カートの外部に接続されているケーブルが接続される第２の接続コネクターとを有し、
前記第２の接続コネクターは、当該第２の接続コネクターと前記第１の接続コネクターとの勘合部に一定以上の力が加わると前記第１の接続コネクターから分離される、
ことを特徴とする医療用カート。
【請求項３】
前記第２の接続コネクターは、少なくとも、磁石、板バネ、又はスプリングにより自在に動くローラによって、前記第１の接続コネクターとの接続が固定される、
ことを特徴とする請求項２記載の医療用カート。
【請求項４】
前記一定以上の力は、少なくとも、前記磁石の個数或いは大きさ、前記板バネの材質、又は前記スプリングのバネ定数によって、調整される、
ことを特徴とする請求項３記載の医療用カート。
【請求項５】
前記分離型接続ポートは、フローティング機構を備えたロータリーコネクタ型の接続ポートである、
ことを特徴とする請求項２乃至４の何れか一項に記載の医療用カート。
【請求項６】
前記ケーブルは、少なくとも、通信ケーブル、電源ケーブル、又は映像ケーブルである、
ことを特徴とする請求項１乃至５の何れか一項記載の医療用カート。
【請求項７】
前記接続ポート、又は前記分離型接続ポートは、スイッチングハブの機能を有する、
ことを特徴とする請求項１乃至６の何れか一項記載の医療用カート。
【発明の詳細な説明】
【技術分野】
【０００１】
本発明は、複数の医療用装置が搭載される医療用カートに関する。
【背景技術】
【０００２】
従来、手術室などの医療現場では、配置スペースの効率化と運搬性等を考慮し、複数の医療用装置を搭載可能な医療用カートが使用されている。
例えば内視鏡下外科手術においては、内視鏡と組み合わせて使用される複数の医療用装置が搭載された内視鏡用カートが使用されている（例えば特許文献１、２、３参照）。
【０００３】
内視鏡下外科手術に適用される内視鏡手術システムにおいては、病院内に設置されたサーバから必要な医療情報を入手したり、内視鏡カメラ装置により取得された内視鏡画像等の医療情報をサーバに送信したりすることができるように、院内ＬＡＮシステムが構築されている。院内ＬＡＮシステムは病院内の各部屋まで設けられており、例えば手術室において、内視鏡用カートに搭載された医療用装置と室内の側壁等に設けられたＬＡＮ用コンセント（ＬＡＮポート）とをＬＡＮケーブルを介して接続することにより、医療用装置と院内ＬＡＮシステムとの間でデータの送受を行うことができるようになっている。また、内視鏡用カートに搭載された医療用装置への電源の供給は、医療用装置と室内の側壁等に設けられた電源コンセントとを電源ケーブルを介して接続することにより、行われるようになっている。
【０００４】
図１２は、従来の医療用カートの一例を示す外観図であり、同図左側から順に、その正面図、左側面図、背面図を示している。
同図に示したように、従来の医療用カートの背面パネル１０１の下部には、○印に示したように、ＬＡＮケーブルや電源ケーブル等の各種ケーブルを通すための配線用開口部１０２が設けられている。
【０００５】
図１３は、この配線用開口部１０２を介して引き回されたＬＡＮケーブルと電源ケーブルの一例を示す図である。尚、配線用開口部１０２から引き回されたＬＡＮケーブル１０３のコネクター１０３ａと電源ケーブル１０４の差込プラグ１０４ａは、それぞれ、室内の側壁等に設けられたＬＡＮ用コンセント１０５と電源用コンセント１０６に差し込まれる。
【０００６】
図１４は、複数の医療用装置を搭載した従来の医療用カートを左側面から見たときの一部透視図である。
同図の例では、最下段に電源トランス１０７が搭載され、他の医療用装置は、この電源トランス１０７を介して電源が供給されるようになっている。従って、医療用カートから引き出された電源ケーブルは、電源トランス１０７から引き回された電源ケーブルとなる。また、内視鏡用カートから引き出されたＬＡＮケーブルは、他の医療用装置（本例では医療用装置１０９）の制御を行うシステムコントローラ１０８から引き回されたものである。
【特許文献１】特開平６−２４５８９５号公報
【特許文献２】特開平７−１２４１０６号公報
【特許文献３】特開平９−１３１３０１号公報
【発明の開示】
【発明が解決しようとする課題】
【０００７】
ところで、システムコントローラ１０８は、不図示の通信ケーブルを介して、医療用カートに搭載されている他の医療用装置の制御を行うため、背面には、図１５に示すように、各医療用装置からの通信ケーブルを接続するためのコネクター接続ポート１１０が複数設けられている。この複数のコネクター接続ポート１１０の各々のピッチ間隔は、装置の全高寸法を抑えるために、狭く設計されており、頻繁な通信ケーブルの取り付け／取り外し作業を考慮した設計とはなっていない。そのため、術後には、医療用カートから引き回されたＬＡＮケーブルや電源ケーブルを、室内の側壁等に設けられたＬＡＮ用コンセントや電源用コンセントから取り外して全てを巻き取り、医療用カートに取り付けておく必要があった。そのため、病院内に存する全ての医療用カートにＬＡＮケーブルや電源ケーブルを備える必要があり、また、図１６に示すように、ケーブル巻き取り用ステー１１１を医療用カートに設ける必要もあり、コストアップの要因となっていた。尚、このような問題は、システムコントローラ１０８以外の医療用装置（例えば医療用装置１０９）と室内の側壁等に設けられたＬＡＮ用コンセントとを直接ＬＡＮケーブルを介して接続する場合等にも同様に生じ得るものである。
【０００８】
また、室内の側壁等に設けられたコンセントに接続されたケーブルが既に準備されている場合には、術前に、それを医療用カートに搭載された医療用装置に接続する必要がある。しかしながら、医療用カートに搭載された装置背面側のケーブルの配線は極めて煩雑で、作業性が悪く、術前の段取り作業を増やす要因になっていた。
【０００９】
本発明は、上記実情に鑑み、当該医療用カートに搭載されている複数の医療用装置に接続される通信ケーブルや電源ケーブルの接続作業を容易にする医療用カートを提供することを目的とする。
【課題を解決するための手段】
【００１０】
上記目的を達成するため、本発明の第１の態様に係る医療用カートは、複数の医療用装置が搭載される医療用カートであって、前記医療用装置に接続されているケーブルと当該医療用カートの外部に接続されているケーブルとを接続するための接続コネクターを有する、構成である。
【００１１】
本発明の第２の態様に係る医療用カートは、複数の医療用装置が搭載される医療用カートであって、前記医療用装置に接続されているケーブルと当該医療用カートの外部に接続されているケーブルとを接続するための分離型接続コネクターを有し、前記分離型接続コネクターは、前記医療用装置に接続されているケーブルが接続される第１の接続コネクターと、前記第１の接続コネクターに着脱可能に構成され当該医療用カートの外部に接続されているケーブルが接続される第２の接続コネクターとを有し、前記第２の接続コネクターは、当該第２の接続コネクターと前記第１の接続コネクターとの勘合部に一定以上の力が加わると前記第１の接続コネクターから分離される、構成である。
【００１２】
本発明の第３の態様に係る医療用カートは、前記第２の態様において、前記第２の接続コネクターは、少なくとも、磁石、板バネ、又はスプリングにより自在に動くローラによって、前記第１の接続コネクターとの接続が固定される、構成である。
【００１３】
本発明の第４の態様に係る医療用カートは、前記第３の態様において、前記一定以上の力は、少なくとも、前記磁石の個数或いは大きさ、前記板バネの材質、又は前記スプリングのバネ定数によって、調整される、構成である。
【００１４】
本発明の第５の態様に係る医療用カートは、前記第２乃至４の何れか一つの態様において、前記分離型接続ポートは、フローティング機構を備えたロータリーコネクタ型の接続ポートである、構成である。
【００１５】
本発明の第６の態様に係る医療用カートは、前記第１乃至５の何れか一つの態様において、前記ケーブルは、少なくとも、通信ケーブル、電源ケーブル、又は映像ケーブルである、構成である。
【００１６】
本発明の第７の態様に係る医療用カートは、前記第１乃至６の何れか一つの態様において、前記接続ポート、又は前記分離型接続ポートは、スイッチングハブの機能を有する、構成である。
【発明の効果】
【００１７】
本発明によれば、当該医療用カートに搭載されている複数の医療用装置に接続される通信ケーブルや電源ケーブル等の接続作業を容易にすると共に、これらのケーブルに引っかかっても内視鏡モニタがずれたり、コネクタが外れることによる内視鏡画像のズレが発生するのを防止できる。
【発明を実施するための最良の形態】
【００１８】
以下、本発明の実施例を図面を参照しながら説明する。
【実施例１】
【００１９】
図１は、本発明の実施例１に係る医療用カートを示す図であり、同図左側に左側面から見た一部透視図を、同図右側に背面図を示している。尚、同図左側の一部透視図は、前述の図１４に対応する図でもある。図２は、本実施例に係る医療用カートに設けられた接続ポートの拡大斜視図である。
【００２０】
本実施例に係る医療用カートは、例えば、内視鏡下外科手術に適用される内視鏡手術システムに使用される内視鏡用カートである。
図１及び図２に示したように、本実施例に係る医療用カートは、背面パネル１の下部に開口部２を設け、その開口部２に接続ポート３が設けられている。
【００２１】
接続ポート３は、カート床面となるカートフレーム４上に固定されており、背面側（カート外部側）に、ＬＡＮケーブル５のＬＡＮコネクター５ａが接続されるＬＡＮポート６と電源ケーブル７の差込プラグ７ａが接続される電源ポート８とが設けられている。また、図示はしないが、接続ポート３の正面側（カート内部側）にも、当該医療用カートに搭載される医療用装置と接続される、一つ以上のＬＡＮポートと一つ以上の電源ポートとが設けられており、背面側のＬＡＮポート６と正面側のＬＡＮポート、背面側の電源ポート８と正面側の電源ポートが、それぞれ接続ポート内で接続されている。
【００２２】
本実施例によれば、医療用カート内に搭載された医療用装置と接続ポート３との間を、予め、ＬＡＮケーブル及び電源ケーブルで接続しておけば、以降は、ＬＡＮケーブル５のＬＡＮコネクター５ａ，５ｂを、接続ポート３のＬＡＮポート６，室内の側壁等に設けられたＬＡＮ用コンセントにそれぞれ接続すると共に、電源ケーブル７の差込プラグ７ａ、７ｂを、接続ポート３の電源ポート８、室内の側壁等に設けられた電源コンセントにそれぞれ接続するだけで、医療用カートに搭載されている医療用装置と院内ＬＡＮシステム上の装置（例えばサーバ）との間でデータの送受が可能になると共に、医療用カートに搭載されている医療用装置への電源の供給が可能になり、術前の段取り作業が容易になる。
【００２３】
尚、本実施例においては、医療用カートに、図１４で説明した電源トランス１０７、システムコントローラ１０８、医療用装置１０９が搭載されていることから、接続ポート３に接続される医療用カート内の配線は、接続ポート３の正面側の電源ポートと電源トランス１０７とが電源ケーブルで接続され、接続ポート３の正面側のＬＡＮポートとシステムコントローラ１０８とがＬＡＮケーブルで接続される。
【００２４】
また、本実施例では、医療用カートに搭載される１台の医療用装置（システムコントローラ１０８）のみが院内ＬＡＮシステムに接続されるものであったが、例えば、医療用カートに搭載される複数の医療用装置が院内ＬＡＮシステムに接続されるものであっても良く、その場合には、接続ポート３がスイッチングハブの機能を有するように構成することも可能である。
【００２５】
図３は、接続ポート３がスイッチングハブの機能を有しているときの、医療用カート内のＬＡＮケーブルの配線例を示す図である。
同図に示したように、システムコントローラ１０８以外の院内ＬＡＮシステムに接続される医療用装置を仮に医療用装置１０９とすると、システムコントローラ１０８と医療用装置１０９は、それぞれＬＡＮケーブル９，１０を介して、スイッチングハブ機能を有する接続ポート３の正面側に設けられたＬＡＮポートに接続される。
【００２６】
このように接続ポート３がスイッチングハブ機能を有したことにより、医療用カート内に独立してスイッチングハブを設ける必要がなく医療用カート内の配線を容易にすることができる。
【００２７】
また、この場合、特に、ＬＡＮケーブルとしてＰｏｗｅｒ  ｏｖｅｒ  ＥｔｈｅｒｎｅｔタイプのＬＡＮケーブルを使用したときには、接続ポート３のスイッチングハブ機能を実現するユニットへの電源供給が不要となり、医療用カート内の配線を、より容易にすることができる。
【実施例２】
【００２８】
一般に、手術室内では、医療用カートの背面側が通路となるケースが多い。このため、看護師等が意図せずに医療用カートから引き回されたＬＡＮケーブルを引っ掛けてしまった場合等には、ＬＡＮケーブルやＬＡＮコネクターの破損、或いは医療用カートが動いてしまい表示パネルの位置がずれてしまうこと等の虞がある。これは、ＬＡＮコネクターが、ＬＡＮ用コンセント（或いはＬＡＮ用ポート）に一旦接続されると、ロック用のプラスチックレバーを摘まない限り外れない構造となっているからである。また、このようなことは、医療用カートから引き回された電源ケーブルや映像ケーブル等、その他のケーブルの場合にも同様に生じ得るものである。
【００２９】
そこで、本実施例に係る医療用カートは、実施例１に係る医療用カートにおいて、接続ポート３の代わりに、接続ポートの背面側に一定以上の力が加わると当該接続ポートが分離する分離型接続ポートを設ける構成とした。その他の構成は、実施例１に係る医療用カートと同じである。
【００３０】
図４は、本実施例に係る医療用カートに設けられた分離型接続ポートの拡大斜視図であり、同図左側に、接続されているときの接続ポートを示し、同図右側に、分離されているときの接続ポートを示す。
【００３１】
同図に示したように、分離型接続ポート１１は、固定側接続ポート１１ａと分離側接続ポート１１ｂとからなる。
固定側接続ポート１１ａは、カート床面となるカートフレーム４上に固定されている。分離側接続ポート１１ｂは、当該ポート１１ｂの底面に設けられた不図示の磁石とカート床面となるカートフレーム４の上面に設けられた複数の磁石１２との磁力によりカートフレーム４上に固定され、当該ポート１１ｂに一定範囲の後方へ一定以上の力が加わると固定側接続ポート１１ａから分離されるようになっている。
【００３２】
本実施例では、看護師等が意図せずに当該ポート１１ｂに接続されているＬＡＮケーブル１３や電源ケーブル１４を引っ掛けてしまった場合等に、医療用カートが動くことなく分離側接続ボート１１ｂが固定側接続ポート１１ａから分離される程度の磁力で当該ポート１１ｂとカートフレーム４とが固定されている。
【００３３】
また、固定側接続ポート１１ａの背面側（カート外部側）には、複数のピン１５を有する凹部１６が設けられており、分離側接続ポート１１ｂの正面側（カート内部側）には、不図示の複数の孔部を有する凸部１７が設けられている。これらの複数のピン１５を有する凹部１６と複数の孔部を有する凸部１７が勘合することにより、固定側接続ポート１１ａと分離側接続ポート１１ｂとが適切に接続され、分離側接続ポート１１ｂの背面側のＬＡＮポートと固定側接続ポート１１ａの正面側の不図示の一つ以上のＬＡＮポート、及び、分離側接続ポート１１ｂの背面側の電源ポートと固定側接続ポート１１ａの正面側の不図示の一つ以上の電源ポートが、それぞれ分離型接続ポート１１内で接続されるようになっている。
【００３４】
図５は、分離型接続ポート１１の断面図であり、同図左側に、接続されているときの接続ポート１１を示し、同図右側に、分離されているときの接続ポート１１を示す。
同図に示したように、固定側接続ポート１１ａと分離側接続ポート１１ｂとが接続されたときには、固定側接続ポート１１ａの凹部１６に設けられたピン１５が、分離側接続ポート１１ｂの凸部１７に設けられた対応する孔部１８に勘合し、ピン１５の外周に設けられた複数の不図示の電極と、孔部１８の外周に設けられた複数の電極１９とが接続するようになっている。尚、同図では、ピン１５と孔部１８との電気的接続点が２箇所だけ示されているが、実際には、それ以上の接続点が存在する。
【００３５】
また、固定側接続ポート１１ａと分離側接続ポート１１ｂとが接続されているときに、分離側接続ポート１１ｂは、当該ポート１１ｂの底面の磁石２０とカートフレーム４の上面に設けられた磁石１２との磁力により固定される。
【００３６】
本実施例によれば、看護師等が意図せずに当該ポート１１ｂに接続されているＬＡＮケーブル１３や電源ケーブル１４を引っ掛けてしまった場合等であっても、分離側接続ポート１１ｂに一定範囲の後方へ一定以上の力が加わることで、医療用カートが動くことなく当該ポート１１ｂが固定側接続ポート１１ａから分離されるようになるので、当該医療用カートに搭載されている表示パネルの位置がずれてしまうこと等を防止することができる。また、分離側接続ポート１１ｂが分離されることで、ケーブルに生じたテンションが開放されるようになるので、ケーブルやコネクターの破損を防止することもできる。
【００３７】
尚、本実施例において、固定側接続ポート１１ａから分離側接続ポート１１ｂが分離されるのに必要な力は、カートフレーム４の上面に設けられた磁石１２の個数や大きさ、或いは、分離側接続ポート１１ｂの底面に設けられた磁石２０の個数や大きさ等により調節可能である。例えば、その分離されるのに必要な力は約１０Ｎである。
【００３８】
また、本実施例において、接続ポート１１を介して通信が行われているときに、分離側接続ポート１１ｂが分離された場合には、通信エラーや電源断の問題がある。そこで、このような場合を想定して、例えば、接続ポート１１を介して通信を行う医療用装置（例えばシステムコントローラ）内にメモリを設けておき、通信内容をバッファーとして一旦メモリに保管し、サーバ等の上位の機器に送信する。従って、不意に通信エラーとなったときには、サーバ等の上位への送信モードからメモリバッファーモードに切替える。通信再開時に、格納した送信内容を送信するようにすることも可能である。また、医療用カートにＵＰＳ（無停電電源装置）を搭載しておき、電源断となったときには、電源を一時的にＵＰＳから供給するようにすることも可能である。
【００３９】
また、本実施例では、固定側接続ポート１１ａを、いわゆるメス型とし、分離側接続ポート１１ａを、いわゆるオス型としたが、これとは逆に、固定側接続ポート１１ａをオス型、分離側接続ポート１１ａをメス型とすることも可能である。
【００４０】
また、本実施例において、例えば、医療用カートに搭載される複数の医療用装置が院内ＬＡＮシステムに接続される場合には、分離型接続ポート１１がスイッチングハブの機能を有するよう構成することも可能である。
【実施例３】
【００４１】
本実施例に係る医療用カートは、実施例２と同様に、接続ポートの背面側に一定以上の力が加わると当該接続ポートが分離する分離型接続ポートを設けた構成であるが、分離側接続ポートを、磁石により固定するのではなく、板バネにより固定するようにした点が実施例２と異なる。その他の構成は、実施例２に係る医療用カートと同じである。
【００４２】
図６は、本実施例に係る医療用カートに設けられた分離型接続ポートの断面図であり、同図左側に、接続されているときの接続ポートを示し、同図右側に、分離されているときの接続ポートを示す。尚、同図は、前述の図５に対応する図でもある。図７は、分離側接続ポートの底面の一部の形状を説明する図である。
【００４３】
図６に示したように、本実施例では、カート床面となるカートフレーム４の上面に、磁石１２の代わりに、複数の板バネ２１が設けられる。また、分離側接続ポート１１ｂの底面には、磁石２０の代わりに、その複数の板バネ２１がそれぞれ掛合される複数の凹部２２が設けられる。
【００４４】
これにより、固定側接続ポート１１ａに分離側接続ポート１１ｂを接続する際には、分離側接続ポート１１ｂの底面の一部が板バネ２１を一旦押し下げた後に、当該接続ポート１１ｂの底面の凹部２２に板バネ２１が掛合することで、当該接続ポート１１ｂが固定されることになる。
【００４５】
尚、分離側接続ポート１１ｂを固定側接続ポート１１ａに接続する際に板バネ２１と接触する当該接続ポート１１ｂの底面の一部は、図７の点線○印に示したように、当該接続ポート１１ｂを挿入し易いようテーパー形状となっている。
【００４６】
また、分離側接続ポート１１ｂに一定範囲の後方へ一定以上の力が加わったときには、先程とは逆に、当該接続ポート１１ｂの底面の一部により板バネ２１が押し下げられ、当該接続ポート１１ｂの底面の凹部２２から板バネ２１が外れることで、固定側接続ポート１１ａから分離されるようになっている。
【００４７】
本実施例では、看護師等が意図せずに当該接続ポート１１ｂに接続されているＬＡＮケーブル１３や電源ケーブルを引っ掛けてしまった場合等に、医療用カートが動くことなく固定側接続ポート１１ａから分離側接続ボート１１ｂが分離する程度に固定されるように、板バネ２１及び凹部２２が設計されている。
【００４８】
本実施例によれば、実施例２と同様の効果を得ることができる。
尚、本実施例において、固定側接続ポート１１ａから分離側接続ポート１１ｂが分離されるのに必要な力は、例えば、カートフレーム４の上面に設けられた板バネ２１の材質等により調節可能である。例えば、その分離されるのに必要な力は約１０Ｎである。
【実施例４】
【００４９】
本実施例に係る医療用カートは、実施例２と同様に、接続ポートの背面側に一定以上の力が加わると当該接続ポートが分離する分離型接続ポートを設けた構成であるが、分離側接続ポートを、磁石により固定するのではなく、スプリングにより自在に動くローラにより固定するようにした点が実施例２と異なる。その他の構成は、実施例２に係る医療用カートと同じである。
【００５０】
図８は、本実施例に係る医療用カートに設けられた分離型接続ポートの断面図であり、同図左側に、接続されているときの接続ポートを示し、同図右側に、分離されているときの接続ポートを示す。尚、同図は、前述の図５又は図６に対応する図でもある。
【００５１】
図８に示したように、本実施例では、カート床面となるカートフレーム４の上面に、磁石１２の代わりに、スプリング２３により自在に動くローラ２４が複数設けられる。また、分離側接続ポート１１ｂの底面には、磁石２０の代わりに、その複数のローラ２４がそれぞれ掛合される複数の凹部２５が設けられる。
【００５２】
これにより、固定側接続ポート１１ａに分離側接続ポート１１ｂを接続する際には、分離側接続ポート１１ｂの底面の一部が、ローラ２４を一旦押し下げた後に、当該接続ポート１１ｂの底面の凹部２５にローラ２４が掛合することで、当該接続ポート１１ｂが固定されることになる。
【００５３】
尚、本実施例においても、分離側接続ポート１１ｂを固定側接続ポート１１ａに接続する際にローラ２４と接触する当該接続ポート１１ｂの底面の一部は、図７の点線○印に示したように、当該接続ポート１１ｂを挿入し易いようテーパー形状となっている。
【００５４】
また、分離側接続ポート１１ｂに一定範囲の後方へ一定以上の力が加わったときには、先程とは逆に、当該接続ポート１１ｂの底面の一部によりローラ２４が押し下げられ、当該接続ポート１１ｂの底面の凹部２５からローラ２４が外れることで、固定側接続ポート１１ａから分離されるようになっている。
【００５５】
本実施例では、看護師等が意図せずに当該接続ポート１１ｂに接続されているＬＡＮケーブル１３や電源ケーブルを引っ掛けてしまった場合等に、医療用カートが動くことなく固定側接続ポート１１ａから分離側接続ボート１１ｂが分離する程度に固定されるように、スプリング２３、ローラ２４、及び凹部２５が設計されている。
【００５６】
本実施例によれば、実施例２と同様の効果を得ることができる。
尚、本実施例において、固定側接続ポート１１ａから分離側接続ポート１１ｂが分離されるのに必要な力は、例えば、カートフレーム４の上面に設けられたローラ２４を上下させるバネ２３のバネ定数等により調節可能である。例えば、その分離されるのに必要な力は約１０Ｎである。
【実施例５】
【００５７】
本実施例に係る医療用カートは、接続ポートの背面側に一定以上の力が加わると当該接続ポートが分離する分離型接続ポートを設けた構成である点は、実施例２、３、又は４と同じであるが、その分離型接続ポートを、フローティング機構を備えた所謂ロータリーコネクタ型の接続ポートとした点が、実施例２、３、又は４と異なる。その他の構成は、実施例２、３、又は４に係る医療用カートと同じである。
【００５８】
図９は、本実施例に係る医療用カートに設けられた分離型接続ポートの断面図である。図１０は、その分離型接続ポートの上面図であり、同図左側に、接続されているときの接続ポートを示し、同図右側に、分離されたときの接続ポートの一例を示す。
【００５９】
図９に示したように、本実施例に係る分離型接続ポート２６は、フローティング機構を備えた所謂ロータリーコネクタ型の接続ポートとなっている。具体的には、固定側接続ポート２６ａが、カート床面となるカートフレーム４に固定されたシャフト２７を回転軸として回動自在に構成されている。ここで、シャフト２７は、固定側接続ポート２６ａの上部にカラー２８を、下部にカラー２９とバネ３０を挟むようにして、固定側接続ポート２６ａに固定されている。そして、このバネ３０のバネ圧により、カートフレーム４に対する固定側接続ポート２６ａの回動負荷を制限している。一方、この固定側接続ポート２６ａに接続される分離側接続ポート２６ｂの構成は、実施例２、３、又は４に係る分離型接続ポート１１ｂの構成と同じである。これに伴って、実施例２、３、又は４においてカートフレーム４に設けられていた磁石１２，板バネ２１，又はスプリング２３により自在に動くローラ２４のいずれかが、固定側接続ポート２６ａの対応する位置に設けられて、分離側接続ポート２６ｂの固定が行われる。
【００６０】
これにより、図１０の左側に示したように、固定側接続ポート２６ａに分離側接続ポート２６ｂを接続した後に、同図の右側に示したように、分離側接続ポート２６ｂに接続されているＬＡＮケーブルや電源ケーブルが、同図矢印に示した引っ張り方向に一定の力で引っ張られた場合には、その引っ張り方向に応じた回動位置へ分離型接続ポート２６が回動して、固定側接続ポート２６ａから分離側接続ポート２６ｂが分離されるようになる。
【００６１】
本実施例に係る分離型接続ポート２６は、看護師等が意図せずに分離側接続ポート２６ｂに接続されているＬＡＮケーブルや電源ケーブルを引っ掛けてしまった場合等に、医療用カートが動くことなく固定側接続ポート２６ａから分離側接続ボート２６ｂが分離する程度に固定されるように、設計されている。
【００６２】
本実施例によれば、分離側接続ポート２６ｂに接続されているケーブルが引っ張られると、その引っ張られた方向に分離型接続ポート２６が回動され、その引っ張られた方向と、固定側接続ポート２６ａから分離側接続ポート２６ｂが無理なく分離される方向とが一致するので、ケーブルやコネクターの破損を、より防止することができる。また、当該医療用カートに搭載されている表示パネルの位置がずれてしまうこと等を防止すること等ももちろんできる。
【００６３】
以上、実施例１乃至５について説明してきたが、実施例１乃至５において、接続ポート３、分離型接続ポート１１、２６は、いずれも、ＥＭＣ（ Electro-Magnetic Compatibility ）対策がとられていることが望ましく、例えば、当該接続ポートに外部から接続さえるケーブルのシールド線を外殻部品に接地するように構成することもできる。
【００６４】
また、実施例１乃至５において、接続ポート３、分離型接続ポート１１、２６は、いずれも医療用カートの背面側の下部に設けられたが、例えば背面側の上部に設ける等、その他の位置に設けるようにすることも可能である。
【００６５】
また、実施例１乃至５では、外部から、接続ポート３、又は分離型接続ポート１１或いは２６に接続されるケーブルをＬＡＮケーブルと電源ケーブルの２本としたが、ＬＡＮケーブルのみ、或いは電源ケーブルのみとすることも可能であり、又は、３本以上のケーブルが接続されるように構成することも可能である。また、接続されるケーブルは、ＬＡＮケーブルと電源ケーブルに限られるものではなく、例えばＲＳ２３２Ｃケーブルや映像ケーブル等、その他の通信ケーブル、ネットワークケーブル等が接続されるようにすることも可能である。
【００６６】
最後に、上記実施例１乃至５の何れか一つに係る医療用カートを、内視鏡下外科手術に適用される内視鏡手術システムに使用したときの構成例を、図１１に示しておく。
同図に示した内視鏡手術システム４１では、患者４２が横たわる患者ベッド４３の両側に第１の医療用カート４４及び第２の医療用カート４５とが配置され、両カート４４、４５には観察、検査、処置、記録などを行う複数の内視鏡周辺装置が搭載されている。
【００６７】
第１の医療用カート４４には、内視鏡画像の表示等を行う第１の内視鏡表示パネル４６、システムコントローラ４７、内視鏡画像の記録等を行うＶＴＲ４８、第１の内視鏡カメラ装置４９、第１の光源装置５０、第１の気腹装置５１、生体組織の切開や凝固等を行うための第１の電気メス装置５２、機器の操作・設定状況の確認等を行う第１の集中表示パネル５３、医療機器の操作を集中して行う図示しないマウスやタッチパネル等のポインティングデバイスを有した操作パネル５４等が搭載され、それぞれの機器は、図示しないシリアルインターフェイスケーブルを介してシステムコントローラ４７に接続され、双方向通信を行えるようになっている。また、システムコントローラ４７には、更に、有線リモートコントローラ５６と、通信ケーブル６７を介して中継ユニット６２とが接続されている。
【００６８】
システムコントローラ４７は、接続されている装置の集中制御を行うものであり、操作パネル５４又は有線リモートコントローラ５６或いは無線リモートコントローラ５７の操作に応じて、それらを制御するものである。
【００６９】
第１の光源装置５０は照明光を伝送するライトガイドケーブルを介して第１の内視鏡５５に接続され、第１の光源装置５０の照明光を第１の内視鏡５５のライトガイドに供給し、この第１の内視鏡５５の挿入部が刺入された患者４２の腹部内の患部等を照明する。この第１の内視鏡５５の接眼部には撮像素子を備えたカメラヘッドが装着され、第１の内視鏡５５の観察光学系による患部等の光学像をカメラヘッド内の撮像素子で撮像し、カメラケーブルを介して第１の内視鏡カメラ装置４９に伝送し、第１の内視鏡カメラ装置４９内の信号処理回路で信号処理して映像信号を生成し、システムコントローラ４７に出力するようにしている。
【００７０】
気腹装置５１にはＣＯ2ボンベ５８が接続され、気腹装置５１から患者４２に延びた気腹チューブを介して患者４２の腹部内にＣＯ2ガスを供給できるようにしている。
一方、第２の医療用カート４５には、内視鏡画像の表示等を行う第２の内視鏡表示パネル６１、中継ユニット６２、第２の内視鏡カメラ装置６３、第２の光源装置６４、生体組織の切開や凝固等を行うための第２の電気メス装置６５、機器の操作・設定状況の確認等を行う第２の集中表示パネル６６等が搭載され、それぞれの機器は、図示しないシリアルインターフェイスケーブルを介して中継ユニット６２に接続され、双方向通信を行えるようになっている。
【００７１】
中継ユニット６２は、第１のシステムコントローラ４７の制御の基に、接続されている装置の集中制御を行うものである。
第２の光源装置６４は照明光を伝送するライトガイドケーブルを介して第２の内視鏡６８に接続され、第２の光源装置６４の照明光を第２の内視鏡６８のライトガイドに供給し、この第２の内視鏡６８の挿入部が刺入された患者４２の腹部内の患部等を照明する。この第２の内視鏡６８の接眼部には撮像素子を備えたカメラヘッドが装着され、第２の内視鏡６８の観察光学系による患部等の光学像をカメラヘッド内の撮像素子で撮像し、カメラケーブルを介して第２の内視鏡カメラ装置６３に伝送し、第２の内視鏡カメラ装置６３内の信号処理回路で信号処理して映像信号を生成し、中継ユニット６２に出力するようにしている。
【００７２】
本システムにおいて、第１の医療用カート４４に搭載される医療用装置は、当該医療用カート４４に設けられた接続ポート３、又は分離型接続ポート１１或いは２６に接続されたＬＡＮケーブル５９を介して院内ＬＡＮシステムに接続され、第２の医療用カート４５に搭載される医療用装置は、当該医療用カート４５に設けられた接続ポート３、又は分離型接続ポート１１或いは２６に接続されたＬＡＮケーブル６９を介して院内ＬＡＮシステムに接続される。これにより、両カート４４，４５に搭載される医療用装置と院内ＬＡＮシステム上の装置（例えばサーバ）との間でデータの送受を行うことができるようになっている。また、第１の医療用カート４４に搭載される医療用装置は、当該医療用カート４４に設けられた接続ポート３、又は分離型接続ポート１１或いは２６に接続された電源ケーブル６０を介して電源が供給され、第２の医療用カート４５に搭載される医療用装置は、当該医療用カート４５に設けられた接続ポート３、又は分離型接続ポート１１或いは２６に接続された電源ケーブル７０を介して電源が供給されるようになっている。
【００７３】
このように、内視鏡手術システムに使用される医療用カートとして、上述の実施例１乃至５に係る医療用カートを使用することにより、内視鏡手術前の段取り作業を格段に容易にすることができ、また、上述の実施例２乃至５に係る医療用カートを使用することにより、看護師等が意図せずにＬＡＮケーブル５９、６９や電源ケーブル６０、７０を引っ掛けてしまった場合等であっても、当該医療用カートに搭載されている内視鏡表示パネル４６、６１の位置がずれてしまうこと等を防止することができると共に、ケーブルやコネクターの破損等を防止することもできる。
【００７４】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００７５】
【図１】実施例１に係る医療用カートを示す図である。
【図２】実施例１に係る医療用カートに設けられた接続ポートの拡大斜視図である。
【図３】接続ポートがスイッチングハブの機能を有しているときの、医療用カート内のＬＡＮケーブルの配線例を示す図である。
【図４】実施例２に係る医療用カートに設けられた分離型接続ポートの拡大斜視図である。
【図５】実施例２に係る分離型接続ポートの断面図である。
【図６】実施例３に係る医療用カートに設けられた分離型接続ポートの断面図である。
【図７】実施例３に係る分離側接続ポートの底面の一部の形状を説明する図である。
【図８】実施例４に係る医療用カートに設けられた分離型接続ポートの断面図である。
【図９】実施例５に係る医療用カートに設けられた分離型接続ポートの断面図である。
【図１０】実施例５に係る分離型接続ポートの上面図である。
【図１１】実施例１乃至５の何れか一つに係る医療用カートを、内視鏡下外科手術に適用される内視鏡手術システムに使用したときの構成例を示す図である。
【図１２】従来の医療用カートの一例を示す外観図である。
【図１３】配線用開口部を介して引き回されたＬＡＮケーブルと電源ケーブルの一例を示す図である。
【図１４】複数の医療用装置を搭載した従来の医療用カートを左側面から見たときの一部透視図である。
【図１５】システムコントローラの背面図である。
【図１６】ケーブル巻き取り用ステーが設けられた医療用カートの一例を示す図である。
【符号の説明】
【００７６】
１      背面パネル
２      開口部
３      接続ポート
４      カートフレーム
５      ＬＡＮケーブル
６      ＬＡＮポート
７      電源ケーブル
８      電源ポート
９、１０  ＬＡＮケーブル
１１    分離型接続ポート
１２    磁石
１３    ＬＡＮケーブル
１４    電源ケーブル
１５    突起部
１６    凹部
１７    凸部
１８    孔部
１９    電極
２０    磁石
２１    板バネ
２２    凹部
２３    スプリング
２４    ローラ
２５    凹部
２６    分離型接続ポート
２７    シャフト
２８、２９  カラー
３０    バネ
４１    内視鏡手術システム
４２    患者
４３    患者ベッド
４４    第１の医療用カート
４５    第２の医療用カート
４６    第１の内視鏡表示パネル
４７    システムコントローラ
４８    ＶＴＲ
４９    第１の内視鏡カメラ装置
５０    第１の光源装置
５１    気腹装置
５２    第１の電気メス装置
５３    第１の集中表示パネル
５４    操作パネル
５５    第１の内視鏡
５６    有線リモートコントローラ
５７    無線リモートコントローラ
５８    ＣＯ2ボンベ
５９    ＬＡＮケーブル
６０    電源ケーブル
６１    第２の内視鏡表示パネル
６２    中継ユニット
６３    第２の内視鏡カメラ装置
６４    第２の光源装置
６５    第２の電気メス装置
６６    第２の集中表示パネル
６７    通信ケーブル
６８    第２の内視鏡
６９    ＬＡＮケーブル
７０    電源ケーブル
１０１  背面パネル
１０２  配線開口部
１０３  ＬＡＮケーブル
１０４  電源ケーブル
１０５  ＬＡＮ用コンセント
１０６  電源コンセント
１０７  電源トランス
１０８  システムコントローラ
１０９  医療用装置
１１０  コネクター接続ポート
１１１  ケーブル巻き取り用ステー
【図１】
2006055295.tif 000003
【図２】
2006055295.tif 000004
【図３】
2006055295.tif 000005
【図４】
2006055295.tif 000006
【図５】
2006055295.tif 000007
【図６】
2006055295.tif 000008
【図７】
2006055295.tif 000009
【図８】
2006055295.tif 000010
【図９】
2006055295.tif 000011
【図１０】
2006055295.tif 000012
【図１１】
2006055295.tif 000013
【図１２】
2006055295.tif 000014
【図１３】
2006055295.tif 000015
【図１４】
2006055295.tif 000016
【図１５】
2006055295.tif 000017
【図１６】
2006055295.tif 000018
【手続補正書】
【提出日】平成16年9月17日(2004.9.17)
【手続補正１】
【補正対象書類名】明細書
【補正対象項目名】００１７
【補正方法】変更
【補正の内容】
【００１７】
本発明によれば、当該医療用カートに搭載されている複数の医療用装置に接続される通信ケーブルや電源ケーブル等の接続作業を容易にすると共に、これらのケーブルに引っかかって内視鏡モニタがずれたりするのを防止できる。